(57)【要約】安全セルフ破壊式使い捨て注射器を提供する。主に安全セルフ破壊式使い捨て注射器は、中空針筒、該針筒内に装置するプランジャー、該プランジャー前端に装置するゴムピストンを含み、該針筒の前端には、ホルダーを装置し、該ホルダーは、分離可能な円錐ベースとシートにより組成する。該円錐ベース上には、ロール円錐を設置し、該円錐ベース本体外円と該針筒の間には、多数個のOリングを装置し、該針筒前端内側壁上には、該ホルダーと相互に係合する位置限定槽を設置する。該プランジャー前端には、錐型突起を備え、該錐型突起の中央部には、プルフックを設置する。本発明は、注射使用後に針が針筒内に収縮し、各種標準の注射針に交換することができ、構造は簡単で、加工と使用は便利で、安全性が高いという特徴を備える。【選択図】図１
2008528067.tif 000002
【特許請求の範囲】
【請求項１】
主に安全セルフ破壊式使い捨て注射器は、中空針筒、該針筒内に装置するプランジャー、該プランジャー前端に装置するゴムピストンを含み、
該針筒の前端にはホルダーを装置し、該ホルダーは分離可能な円錐ベースとシートにより組成し、該円錐ベース上にはロール円錐を設置し、該円錐ベース本体外円と該針筒の間には多数個のOリングを装置し、該針筒前端内側壁上には該ホルダーと相互に係合する位置限定槽を設置し、該プランジャー前端には錐型突起を備え、該錐型突起の中央部にはプルフックを設置することを特徴とする安全セルフ破壊式使い捨て注射器。
【請求項２】
前記円錐ベース外側下部には多数個の弾性係合ラグを設置し、該弾性係合ラグの大きさは該針筒上の位置限定槽と相互に対応し、装置位置と位置限定槽は相互に対応し、該円錐ベース内側壁下部には凸エッジを設置し、該シートは該円錐ベース内部に設置し、その内孔前端には弾性クランパーを設置し、該シート外部前端には前フランジを設置し、該フランジ直径と該円錐ベース内孔は相互に対応し、該シート外部中間には中フランジを設置し、該円錐ベースの弾性係合ラグと対応することを特徴とする請求項１記載の安全セルフ破壊式使い捨て注射器。
【請求項３】
前記円錐ベース外側下部には多数個の弾性係合ラグを設置し、該弾性係合ラグの大きさは該針筒上の位置限定槽と相互に対応し、装置位置と位置限定槽は相互に対応し、該円錐ベース底部には凹槽を設置し、該凹槽の深さは該シート上部の対応部分に押上げ行程を加えた距離より大きく、該円錐ベース内側壁下部には多数個の弾性クランパーを設置し、該シートは該円錐ベース底部の凹槽内に設置し、その外円と該凹槽の直径は相互に対応し、該シート下端凸エッジと該プランジャー前凸台は相互に接触結合し、その長さは該円錐ベース上の係合ラグを離脱する距離より大きく、該シート外上部には円柱を設置し、該円錐ベースの弾性係合ラグと対応し、該シート外下部には欠損リングを設置し、その欠損サイズは該円錐ベース上の弾性係合ラグが弾き戻る時の行程距離を上回ることを特徴とする請求項１記載の安全セルフ破壊式使い捨て注射器。
【請求項４】
前記円錐ベース外側には上フランジを設置し、該針筒の前フランジと対応し、該中フランジと該針筒内部は相互に対応し、該上フランジと該中フランジの間には平台を設置し、該円錐ベース内側壁下部には凸エッジを設置し、該シートは該円錐ベース内部に設置し、その内孔前端には弾性クランパーを設置し、シート外側下部には多数個の弾性係合ラグを設置し、該弾性係合ラグの大きさは該針筒上の位置限定槽と相互に対応し、装置位置と位置限定槽は相互に対応し、該シート外部前端には前フランジを設置し、その直径と円錐ベース内孔は相互に対応し、該シート下部には下フランジを設置することを特徴とする請求項１記載の安全セルフ破壊式使い捨て注射器。
【請求項５】
前記弾性係合ラグは展開と收縮が可能で、展開時は該針筒係合槽と噛合い、該ホルダーを該針筒上に堅固に固定し、收縮時は該針筒係合槽との噛合いを離脱し、こうして該ホルダーは針筒を離脱することを特徴とする請求項２、３或いは４記載の安全セルフ破壊式使い捨て注射器。
【請求項６】
前記弾性係合ラグと該係合槽の噛合い部の断面形状は、方型、台形、円形、楕円形、或いは多辺形であることを特徴とする請求項２、３或いは４記載の安全セルフ破壊式使い捨て注射器。
【請求項７】
前記プランジャー中央部には、３個の異なる平面内のノックオフノッチを設置することを特徴とする請求項２記載の安全セルフ破壊式使い捨て注射器。
【請求項８】
前記円錐ベース内壁上の凸エッジは、該シートの前フランジと中フランジの間においてのみ移動可能で、該シートの前フランジと噛合うことを特徴とする請求項２或いは４記載の安全セルフ破壊式使い捨て注射器。
【請求項９】
前記円錐ベース中のシートは該円錐ベース上の係合ラグが相互に対応する凹槽の空位の間においてのみ移動可能で、該シート下部内側には斜辺を形成し、終点まで移動すると、該円錐ベース上の弾性クランパー背面部と緊密に対応可能であることを特徴とする請求項３記載の安全セルフ破壊式使い捨て注射器。
【請求項１０】
前記中空針管フランジは一種の直角階段で、該円錐ベース上のフランジと噛合い、該中フランジと重なり合い、噛合い部の断面形状は方形、台形、円形、楕円形、或いは多辺形であることを特徴とする請求項４記載の安全セルフ破壊式使い捨て注射器。
【発明の詳細な説明】
【技術分野】
【０００１】
本発明は一種の注射器に関し、特に一種の安全セルフ破壊式使い捨て注射器に係る。
【背景技術】
【０００２】
注射、採血などの折に発生する交差感染を人類や動物が避けるためには、皮下注射器は一回限りの使用とし、使用後は直ちにゴミとして処理しなければならないことは、現代医学の実践により証明されている。現在最も多く使用されている使い捨て式注射器は、中空針筒、針及び該針筒内に装置されるピストンにより組成する。この種の注射器に存在する最大の問題は、注射完了後も針が外側に残っていることである。針の先端は鋭利であるため、注射器をゴミとして運搬、廃棄する時、処理の便が悪く、また、不注意で医療人員を傷つける事故が恒常的に発生しており、これでは、病原菌の二次交差感染を避けることはできない。特に、重大な伝染病（エイズ、肝炎、SARS等）患者が使用した注射器は、厳重な注意を払う必要がある隠れた危険物である。安全性が不十分な注射器が引き起こす針の刺し傷が他の事故に起因する損傷より明らかに多いことは、実践により分かっている。近年、使い捨て式注射器が回收され再使用されている事実が相次いで摘発され、20世紀末にはセルフ破壊式注射器が開発された。セルフ破壊式注射器は、使用後に自動的に破壊或いはロックされ再使用することはできないものであるが、これら注射器にも非常に重大な欠点がある。それは、ホルダーと針筒の規格が一つ一つ対応しているため、ホルダーを交換することで様々な患者のニーズに合わせることができない点である。これは、注射の操作過程を複雑にし、医療人員に不便をもたらしている。
【発明の開示】
【発明が解決しようとする課題】
【０００３】
本発明が解決しようとする課題は、安全セルフ破壊式使い捨て注射器を提供し、それは、注射使用後に針が針筒内に収縮し、各種標準的な注射針に交換可能で、該注射器の構造は簡単で、加工と使用は便利で、安全性が高いものである。
【課題を解決するための手段】
【０００４】
上記課題を解決するため、本発明は、下記の安全セルフ破壊式使い捨て注射器を提供する。それは、主に中空針筒、該針筒内に装置するプランジャー、該プランジャー前端に装置するゴムピストンを含み、
該針筒の前端には、ホルダーを装置し、
該ホルダーは、分離可能な円錐ベースとシートにより組成し、
該円錐ベース上には、ロール円錐を設置し、
該円錐ベース本体外円と該針筒の間には、多数個のOリングを装置し、
該針筒前端内側壁上には、該ホルダーと相互に係合する位置限定槽を設置し、
該プランジャー前端には、錐型突起を備え、
該錐型突起の中央部には、プルフックを設置し、
該円錐ベース外側下部には、多数個の弾性係合ラグを設置し、該弾性係合ラグの大きさは該針筒上の位置限定槽と相互に対応し、装置位置と位置限定槽は相互に対応し、
該円錐ベース内側壁下部には、凸エッジを設置し、
該シートは、該円錐ベース内部に設置し、その内孔前端には弾性クランパーを設置し、
該シート外部前端には、前フランジを設置し、該フランジ直径と該円錐ベース内孔は相互に対応し、
該シート外部中間には、中フランジを設置し、該円錐ベースの弾性係合ラグと対応し、
該円錐ベース外側下部には、多数個の弾性係合ラグを設置し、該弾性係合ラグの大きさは該針筒上の位置限定槽と相互に対応し、装置位置と位置限定槽は相互に対応し、
該円錐ベース底部には、凹槽を設置し、該凹槽の深さは該シート上部の対応部分に押上げ行程を加えた距離より大きく、
該円錐ベース内側壁下部には、多数個の弾性クランパーを設置し、
該シートは、該円錐ベース底部の凹槽内に設置し、その外円と該凹槽の直径は相互に対応し、
該シート下端凸エッジと該プランジャー前凸台は、相互に接触結合し、その長さは該円錐ベース上の係合ラグを離脱する距離より大きく、
該シート外上部には、円柱を設置し、該円錐ベースの弾性係合ラグと対応し、
該シート外下部には、欠損リングを設置し、その欠損サイズは該円錐ベース上の弾性係合ラグが弾き戻る時の行程距離を上回り、
該円錐ベース外側には、上フランジを設置し、該針筒の前フランジと対応し、該中フランジと該針筒内部は、相互に対応し、
該上フランジと該中フランジの間には、平台を設置し、
該円錐ベース内側壁下部には、凸エッジを設置し、
該シートは、該円錐ベース内部に設置し、その内孔前端には弾性クランパーを設置し、
シート外側下部には、多数個の弾性係合ラグを設置し、該弾性係合ラグの大きさは該針筒上の位置限定槽と相互に対応し、装置位置と位置限定槽は相互に対応し、
該シート外部前端には、前フランジを設置し、その直径と円錐ベース内孔は相互に対応し、
シート下部には、下フランジを設置し、
該ロール円錐の錐度は、6：100で、
該弾性係合ラグは、展開と收縮が可能で、展開時は該針筒係合槽と噛合い、該円錐ベースを該針筒上に堅固に固定し、收縮時は該針筒係合槽との噛合いを離脱し、こうして、該円錐ベースは該針筒を離脱し、
該弾性係合ラグと該係合槽の噛合い部の断面形状は、方型、台形、円形、楕円形、多辺形で、
該円錐ベース内壁上の凸エッジは、該シートの前フランジと中フランジの間においてのみ移動可能で、該シートの前フランジと噛合い、
該円錐ベース中のシートは、該円錐ベース上の係合ラグが相互に対応する凹槽の空位の間においてのみ移動可能で、
該シート下部内側には、斜辺を形成し、終点まで移動すると、該円錐ベース上の弾性クランパー背面部と緊密に対応可能で、
該中空針管フランジは、一種の直角階段で、該円錐ベース上のフランジと噛合い、該中フランジと重なり合い、
噛合い部の断面形状は、方形、台形、円形、楕円形、多辺形で、
該プランジャー中央部には、異なる平面内にある３個のノックオフノッチを設置し、
該プランジャーの後端には、安全ガード片を設置し、該安全ガード片と該針筒の後壁は相互に接触し、その該プランジャーとの連接位置には多数のノックオフノッチを設置する。
【発明の効果】
【０００５】
本発明が提供する安全注射器と現在市販されている製品とを比較すると、以下の長所を備える。すなわち、円錐ベース（或いはシート）上に対称の弾性係合ラグを設置し、該針筒の位置限定槽と該円錐ベース（或いはシート）の弾性活動係合ラグの作用において円錐ベースは引き出され、或いは収縮し戻ることはなく、さらには、左右に回ることもないことを保証する。円錐ベース上のロールヘッドは、各種規格の標準注射針と対応可能で、針筒と円錐ベースの間には１個のOリングを設置し、液漏れを確実に防止することができる。注射が完了しプランジャーを抜く時、該円錐ベースは簡単に針筒内に引き入れられ、再使用は不能となり、真の安全セルフ破壊を達成する。さらに、わずかな力で引くだけで、プランジャーは円錐ベースの弾性クランパー内に進入可能で、注射時に病人に与える苦痛を減少させることができる。加えて、プランジャー後端の安全ガード片は、使用前と液を抽出時の間違った操作により注射器が誤ってセルフ破壊してしまうことを防止可能である。上記のように、本発明は、注射使用後に針は針筒内に収縮し、各種標準的な注射針に交換可能なセルフ破壊式安全注射器で、該注射器の構造は簡単で、加工と使用は便利で、安全性が高い。
【発明を実施するための最良の形態】
【０００６】
図1に示す安全セルフ破壊式使い捨て注射器は、針筒1、該針筒1内に装置するピストン3、該ピストン3を押し軸方向に運動させることができるプランジャー2を含み、該針筒1の前端には、ホルダー4を設置する。図2、3、4、5に示すように、該ホルダー4は、円錐ベース41とシート42を含む。該円錐ベース41上には、ロール円錐411を設置し、その錐度は6：100であるたため、各種規格の標準注射針と対応可能である。該円錐ベース41外側下部には、2個の弾性係合ラグ412を形成し、該係合ラグ412と相互に対応する位置の針筒1上には、位置限定槽11を設置する。該弾性係合ラグ412外側の噛合い部4121の上端は、直角面で、下端は斜面で、それは、該針筒1の位置限定槽11の直角面及び斜面と相互に対応する。該円錐ベース41内側壁下部には、凸エッジ413を設置する。該円錐ベース41本体外円と該針筒1の間には、１個のOリング5を装置する。
【０００７】
該シート42は、該円錐ベース41の内部に設置し、弾性材料により製造するため、その内孔前端には、弾性クランパー421を設置し、外部前端には、環状前フランジ422を設置する。該前フランジ422の元の直径は、該円錐ベース41内孔と相互に対応し、しかも、該円錐ベース41内側壁下部に設置する凸エッジ413の直径より大きい。組立て時には、該シート42を上方へと押し動かすと、その外部の前フランジ422は、該円錐ベース内孔凸エッジ413の圧迫を受け内縮変形する。該前フランジ422全体は、該凸エッジ413を通過後に原状を回復する。同時に、該シート42において上方へと押し動かす過程において、該シート42の中フランジ423は、該円錐ベース41の弾性係合ラグ412を外へと拡張させ、該円錐ベース41は、該針筒1の位置限定槽11中に係合し、該針筒1と該円錐ベース41を緊密に相互に連接し、こうして、該ホルダー4全体は、該針筒1上において上下左右を固定され移動することがない。
【０００８】
該プランジャー2頂端には、錐型突起21を備え、その中央部には、プルフック211を設置する。注射完了時に、該プルフック211は、ちょうど該シート42内孔前端の弾性クランパー421に位置する。図3に示すように、該プランジャー2の前部分には、３個のノックオフノッチA、B、Cを設置し、これらは、異なる平面に互い違いに設置され、該プランジャーの剛性を保持し、また、モールド製作に便利で、軽く引くだけで断裂させることができる。図4に示すプランジャー2の末端には、安全ガード片22を設置し、注射器の包装、輸送とその他未使用状態下でのセルフ破壊を防止可能で、保護作用を備える。また、該安全ガード片22上には、３点のノックオプポイントE、F、Gを設置し、看護士の使用時には、簡単に分離することができる。
【０００９】
図5、6、7、8、9、10、11に示すように、液の注入が完了すると、該安全ガード片22を除去する。注射の過程中では、該プランジャー2を一定距離押した後、該プランジャー2前端の錐型突起21は、該シート42の弾性クランパー421を押し、注射が完了するまで、該円錐ベース41内部に進入する。この時、該プルフック211は、ちょうど該シート42内孔前端の弾性クランパー421に位置し、該弾性クランパー421は内縮し、該プルフック211を再びつかむ。続いて、該プランジャー2を下方へと引き、該シート42は該プルフック211の作用において下方へと運動する。該シート42前フランジ422の位置限定上止点4221が、該上円錐ベース41内孔凸エッジ413の下止点4131に接触すると、該シート42の中フランジ423と該弾性係合ラグ412は分離し、該係合ラグ412は中央の中空に向かって弾き戻り、該針筒1上の係合槽11を離れる。この時、該円錐ベース41は、該Oリング5と該針筒1間の摩擦阻害力にのみ支えられる。該プランジャー2が下方へと継続し引かれるに従い、該シート42は該円錐ベース41を連動し該針筒1内へと引かれ、安全セルフ破壊の目的を達成する。
【００１０】
図12、13、14、15に示すように、本発明の第二種実施方式の安全セルフ破壊式使い捨て注射器は、針筒1′、該針筒1′内に装置するピストン3′、該ピストン3′を軸方向に運動させることができるプランジャー2′を含み、該針筒1′の前端には、ホルダー4′を設置する。該ホルダー4′は、円錐ベース41′とシート42′を含む。該円錐ベース41′上には、ロール円錐411′を設置し、その錐度は6：100で、各種規格の標準注射針と対応可能である。該円錐ベース41′外側下部には、2個の弾性係合ラグ412′を設置し、該係合ラグ412′と相互に対応する位置の針筒1′上には、位置限定槽11′を設置する。該弾性係合ラグ412′と該位置限定槽11′の噛合い部の断面形状は、方型、台形、円形、楕円形、多辺形等で、本実施例中では、該弾性係合ラグ412′外側の噛合い部4121′の上端は直角面で、下端は斜面で、該針筒1′の位置限定槽11′の直角面と斜面は相互に対応する。該円錐ベース41′内側壁下部には、弾性クランパー415′を設置し、該円錐ベース41′底部には、リング凹槽413′を設置する。該円錐ベース41′本体外円と該針筒1′の間には、１個のOリング5′を装置する。
【００１１】
該シート42′は、該円錐ベース41′底部凹槽413′内部に設置し、その外円と凹は対応し、組合せ時には、その前端は該凹槽413′に一定の距離入る。該シート42′外上部には、円柱423′を設置し、該円錐ベース41′の弾性係合ラグ412′と対応することができる。該シート42′外下部には、欠損リング425′を設置し、その欠損サイズは、該円錐ベース41′上の弾性係合ラグ412′が弾き戻る時の行程距離を上回る。組立ての過程において、該シート42′を上方へと押し動かし、その外上円柱423′は、該円錐ベース41′の弾性係合ラグ412′を外へと拡張させ、該円錐ベース41′を該針筒1′の位置限定槽11′中に係合させ、該針筒1′と該円錐ベース41′を緊密に相互に連接し、こうして、該円錐ベース4′全体は、針筒上において上下左右を固定され移動することはない。
【００１２】
該プランジャー2′頂端には、錐型突起21′を備え、その中央部にはプルフック211′を設置する。注射完了時に、該プルフック211′は、ちょうど該円錐ベース41′内孔後端の弾性クランパー415′上部に位置する。該プランジャー2′の前部分には、３個のノックオフノッチA、B、Cを設置し、これらは、異なる平面に互い違いに設置され、該プランジャー2′の剛性を保持し、また、モールド製作に便利で、軽く引くだけで断裂させることができる。該プランジャー2′の末端には、安全ガード片22′を設置し、注射器の包装、輸送とその他未使用状態下でのセルフ破壊を防止可能で、保護作用を備える。別に、該安全ガード片22′上には、３点のノックオプポイントE、F、Gを設置し、看護士の使用時には簡単に分離することができる。
【００１３】
液の注入が完了すると、該安全ガード片22′を除去する。注射の過程中では、該プランジャー2′を一定距離押した後、該プランジャー2′前端の錐型突起21′は該円錐ベース41′の弾性クランパー415′を押し、注射完了まで該円錐ベース41′内部に進入する。この時、該プルフック21′は、ちょうど該円錐ベース41′内孔後端の弾性クランパー415′上部に位置する。その時、該シート下端内側の斜凸辺424′は、緊密に該弾性クランパー415′の背面部を押さえ付け、これにより、該弾性クランパー415′内縮時には、該プルフック211′を堅固につかむことができる。同時に、該プランジャー2′の前凸台212′は押し動かし時に上シート42′下端点422′に接触する時（注射完了まで）、シート42′は、既に該円錐ベース中凹槽413′の上止点414′まで押される。この時、該シート42′の上部円柱423′と弾性係合ラグ412′は、分離し、該係合ラグ412′は、該シート42′下に設置する欠損部425′中央の中空に弾き戻り、該針筒1′上の係合槽11′を離脱する。この時、該円錐ベース41′は、該Oリング5′と該針筒1′間の摩擦阻害力によってのみ支えられる。続いて、該プランジャー2′を下に引くと、該シート42′は、該プルフック211′の作用において下方へと運動し、該円錐ベース41′は、該針筒1′内に引き入れられ、安全セルフ破壊の目的を達成する。
【００１４】
図16、17、18、19に示すように、本発明の第三種実施方式の安全セルフ破壊式使い捨て注射器は、針筒1″、該針筒1″内に装置するピストン3″、該ピストン3″を軸方向に押し運動させることができるプランジャー2″を含み、該針筒1″の前端には、ホルダー4″を装置する。該ホルダー4″は、円錐ベース41″とシート42″を含む。該円錐ベース41″上には、ロール円錐411″を設置し、その錐度は6：100で、各種規格の標準注射針と対応可能である。該円錐ベース41″外側の上フランジ412″は、多辺形で、該中空針筒1″頭部内側フランジ12″と噛合い、噛合い部の断面形状は方形、台形、円形、楕円形、多辺形である。本実施方式中では、方形を採用し、異なる規格の注射針に交換する時、該円錐ベース41″は回転する恐れはない。該円錐ベース41″外側の中フランジ413″と中空針筒1″頭部内側は対応する。該円錐ベース41″の２個のフランジ（すなわち、412″、413″）の間には、直角平台4121″を備え、該中空針筒1″と重なり合い、該円錐ベース41″が注射の圧迫を受けた時にも出て行かないように保護する。該円錐ベース41″内側壁下部には、凸エッジ414″を設置し、該円錐ベース41″本体外円と該針筒1″の間には、１個のOリング5″を装置する。
【００１５】
該シート42″は、該円錐ベース41″内部に設置し、弾性材料により製造するため、その内孔前端には、弾性クランパー421″を設置し、外部前端には、環状前フランジ422″を設置する。該前フランジ422″の元の直径と該円錐ベース41″の内孔は、相互に対応し、しかも、該円錐ベース41″内側壁下部に設置する凸エッジ414″直径より大きい。該シート41″外側下部には、2個の弾性係合ラグ423″を対称に設置し、該係合ラグ423″と相互に対応する位置の針筒1″上には、位置限定槽11″を設置する。該弾性係合ラグ423″と該位置限定槽11″の噛合い部断面形状は、方形、台形、円形、楕円形、多辺形で、本実施方式では、円形を採用し、該針筒1″の位置限定槽11″の円形凹槽と緊密に相互に対応する。該シート弾性係合ラグ423″は、展開と收縮が可能で、展開時には該針筒1″の係合槽11″と噛合い、該円錐ベース41″は、該針筒1″上において堅固に固定される。收縮時には、該針筒係合槽11″との噛み合いを離脱し、こうして、該円錐ベース41″は、針筒を離脱する。組立て時には、該シート42″を上方へと押し動かし、その外部の前フランジ422″は、該円錐ベース内孔凸エッジ414″の圧迫を受け内縮変形し、該前フランジ422″全体が該凸エッジ414″を通過すると原状を回復する。同時に、該シート42″において上方へと押し動かす過程中に、該シート42″の下フランジ424″は、本体外側の弾性係合ラグ423″を外へと拡張させ、該シート42″を該針筒1″の位置限定槽11″中に係合させる。こうして、該円錐ベース41″を該針筒1″と該シート42″中間に係合させ、該ホルダー4″全体は、該針筒上において上下左右を固定され移動することはない。
【００１６】
該プランジャー2″頂端には、錐型突起21″を備え、その中央部には、プルフック211″を設置する。注射完了時に、該プルフック211″は、ちょうど該シート42″内孔前端の弾性クランパー421″に位置する。該プランジャー2″の前部分には、多数個の欠損部と３個のノックオフノッチA、B、Cを設置し、これらは、異なる平面に互い違いに設置され、該プランジャーの剛性を保持し、また、モールド製作に便利で、軽く引くだけで断裂させることができる。該プランジャー2″の末端には、安全ガード片22″を設置し、注射器が包装、輸送、及びその他未使用状態においてセルフ破壊することを防止し、保護作用を備える。別に、該安全ガード片22″上には３点のノックオプポイントE、F、Gを設置し、看護士の使用時には簡単に分離することができる。
【００１７】
液の注入が完了すると、該安全ガード片22″を除去する。注射の過程中では、該プランジャー2″を一定の距離押した後、該プランジャー2″前端の錐型突起21″は、該シート42″の弾性クランパー421″を押し、注射完了まで該円錐ベース41″内部に進入する。この時、該プルフック211″は、ちょうど該シート42″内孔前端の弾性クランパー421″に位置し、該弾性クランパー421″は内縮し、該プルフック211″を再びつかむ。続いて、該プランジャー2″を下方へと引き、該シート42″は、該プルフック211″の作用において下方へと運動する。該シート42″前フランジ422″の位置限定上止点4221″が該円錐ベース41″内孔凸エッジ414″の下止点4141″に接触する時、該シート42″の下フランジ424″と該弾性係合ラグ423″は、連接軟帯4232″の連動により回転し分離する。該係合ラグ423″は、中央の中空に向かって引き戻され、該針筒1″上の係合槽11″を離脱する。この時、該円錐ベース41″は、該Oリング5″と該針筒1″間の摩擦阻害力によってのみ支えられる。該プランジャー2″が下方へと継続し引かれるに従い、該シート42″により該円錐ベース41″を連動し、該針筒1″内に引き入れ、安全セルフ破壊の目的を達成する。
【００１８】
本発明は、注射使用後に針筒内に収縮し、各種標準的な注射針に交換可能なセルフ破壊式安全注射器で、該注射器の構造は簡単で、加工と使用は便利で、安全性が高い。上記実施例は、本発明を説明するために用いたに過ぎず、本発明を限定するものではない。関連技術領域の普通の技術人員は、本発明の精神と範囲を脱しない範囲内で各種の変化と変形を加えることができ、したがって、すべての同等の技術方案も本発明の範疇に含まれ、本発明の保護範囲は、特許請求の範囲で指定した内容を基準とする。
【図面の簡単な説明】
【００１９】
【図１】本発明の平面構造指示図である。
【図２】本発明の噛合い部拡大図である。
【図３】本発明のプランジャーノックオフノッチ拡大図である。
【図４】本発明の安全ガード片拡大図である。
【図５】本発明の円錐ベース指示図である。
【図６】本発明の弾性シート指示図である。
【図７】本発明の液抽出完了の指示図である。
【図８】本発明の注射完了の指示図である。
【図９】本発明の針内縮の指示図である。
【図１０】本発明図9の局部拡大図である。
【図１１】本発明プランジャー切断後の指示図である。
【図１２】本発明第二実施方式の構造指示図である。
【図１３】本発明図12の局部拡大図である。
【図１４】本発明第二実施方式注射時の構造指示図である。
【図１５】本発明図14の局部拡大図である。
【図１６】本発明第三実施方式の構造指示図である。
【図１７】本発明図16の局部拡大図である。
【図１８】本発明第三実施方式注射時の構造指示図である。
【図１９】本発明図18の局部拡大図である。
【符号の説明】
【００２０】
1  針筒
11  位置限定槽
2  プランジャー
21  錐型突起
211  プルフック
22  安全ガード片
3  ピストン
4  ホルダー
41  円錐ベース
411  ロール円錐
412  弾性係合ラグ
4121  噛合い部
4131  下止点
42  シート
421  弾性クランパー
422  環状前フランジ
4221  上止点
423  中フランジ
413  凸エッジ
5  Oリング
A、B、C  ノックオフノッチ
E、F、G  ノックオプポイント
1′  針筒
11′  位置限定槽
2′  プランジャー
21′  錐型突起
211′  プルフック
212′  前凸台
22′  安全ガード片
3′  ピストン
4′  ホルダー
41′  円錐ベース
411′  ロール円錐
412′  弾性係合ラグ
4121′  噛合い部
415′  弾性クランパー
413′  リング凹槽
414′  上止点
42′  シート
423′  円柱
425′  欠損リング
42′  上シート
422′  下端点
5′  Oリング
1″  針筒
11″  位置限定槽
12″  頭部内側フランジ
2″  プランジャー
21″  錐型突起
211″  プルフック
22″  ガード片
3″  ピストン
4″  ホルダー
41″  円錐ベース
411″  ロール円錐
412″  フランジ
4121″  直角平台
413″  中フランジ
414″  凸エッジ
4141″  下止点
42″  シート
421″  弾性クランパー
422″  環状前フランジ
423″  弾性係合ラグ
4232″  連接軟帯
424″  下フランジ
5″  Oリング
【図１】
2008528067.tif 000003
【図２】
2008528067.tif 000004
【図３】
2008528067.tif 000005
【図４】
2008528067.tif 000006
【図５】
2008528067.tif 000007
【図６】
2008528067.tif 000008
【図７】
2008528067.tif 000009
【図８】
2008528067.tif 000010
【図９】
2008528067.tif 000011
【図１０】
2008528067.tif 000012
【図１１】
2008528067.tif 000013
【図１２】
2008528067.tif 000014
【図１３】
2008528067.tif 000015
【図１４】
2008528067.tif 000016
【図１５】
2008528067.tif 000017
【図１６】
2008528067.tif 000018
【図１７】
2008528067.tif 000019
【図１８】
2008528067.tif 000020
【図１９】
2008528067.tif 000021
【国際調査報告】
2008528067.tif 000022
2008528067.tif 000023
2008528067.tif 000024
2008528067.tif 000025